(57)【要約】      （修正有）【課題】プラスチックシート製の使い捨て長手袋の上部が使用中にずり落ちてこないようにし、手袋内への通気を良化して蒸れを生じないようなものを経済的に得ることができる使い捨て長手袋を提供する。【解決手段】プラスチックシートを２枚重ね、溶断処理によって手の５本の指先から肘関節の下方までを覆うことができる長手袋１を形成する。この長手袋１の手首部４から肘下方の挿入開口部８に至る腕カバー部５に、上記２枚のプラスチックシートの一部を溶着した溶着部７を設ける。この溶着部７では腕カバー部５の幅が小さくなり、絞られるようになるから、この腕カバー部５が使用中でもずり下がって来ることがない。また、挿入開口部８に続くスペース９から自由に空気が出入りし、作業中に手が蒸れることもない。【選択図】図３
0003192061.tif 000002
【実用新案登録請求の範囲】
【請求項１】
プラスチックシートを２枚重ね、溶断処理によって手の５本の指先から肘関節の下方までを覆うことができる長手袋を形成し、該長手袋の手首の関節部から肘下方の挿入開口部に至る腕カバー部に、該腕カバー部の径を小さくして通気もできるように上記２枚のプラスチックシートの一部を溶着した使い捨て長手袋。
【請求項２】
上記長手袋の腕カバー部に設けた溶着部分は、該長手袋の手首の関節部から肘下方の挿入開口部までの間の中間部に形成されている請求項１に記載の使い捨て長手袋。
【請求項３】
上記長手袋を形成するプラスチックシートの外面にはエンボス加工による小突起が形成されている請求項１または２に記載の使い捨て長手袋。
【考案の詳細な説明】
【技術分野】
【０００１】
本考案は、使い捨てにされるプラスチックシート製の長手袋の改良に関する。
【背景技術】
【０００２】
近年、大腸菌Ｏ−１５７の感染症の流行などもあって、食品衛生に対する要求が一層高くなり、弁当、惣菜、給食などの調理現場において、従来は素手で行うことが多かった作業もプラスチック製の手袋を嵌めて行うようになっている。
例えば、カットした野菜をドレッシングと混ぜ合わせてフレッシュサラダを作るような場合には、ヘラのような道具を使用して混ぜ合わせるよりも、手で混ぜ合わせた方がよく混り合うし、野菜を潰したり傷めたりすることもなくて仕上りもよい。
【０００３】
こうした作業は素手で行うことはできず、手袋を嵌めて行っているが、短い手袋では充分な作業を行うことができず、手だけでなく肘の下までの腕の部分も覆うような手袋が好ましく使用されている。
しかし、このような手袋では作業中に腕を覆っている部分が自然にずり落ちて来てしまうことがあるので、その上縁部に外側から輪ゴムを嵌めてずり落ちるのを防止するようにしていた。
【０００４】
しかし、こうした手袋の外側から輪ゴムを嵌める作業は煩雑であるし、確実性にも欠けるところから、手袋の上縁の開口端部を折返して環状の筒袋を形成し、この筒袋内にゴム紐を環状に挿入して伸縮自在の絞り部を形成したり、開口端部にゴムバンドを取付けるものなどが提供されてきた（特許文献１、２）。
【０００５】
このゴムバンドを予め取付けたものは、手袋がずり落ちることを防止することができるが、開口部が絞られているので手に嵌め難いし、伸縮性のゴムバンドを開口部に取付ける作業が煩雑であるし、コスト高になってしまう。また、手袋を嵌めたときに上縁部が腕に接するように絞られて開口が閉じられるので、通気が妨げられ、蒸れを生じる原因ともなっている。
【０００６】
こうしたことから、出願人は手袋本体の上縁である挿入口の内側の一部に、挿入される手の外面に貼付できる貼付材を設けることによって、蒸れを防止することもできる長手袋を提供してきた（特許文献３）。
【先行技術文献】
【特許文献】
【０００７】
【特許文献１】実開昭５８−１５５３１６号公報
【特許文献２】特開２００１−１８１９１１号公報
【特許文献３】特開２００４−２３８７５８号公報
【考案の概要】
【考案が解決しようとする課題】
【０００８】
本考案は、プラスチックシート製の使い捨て長手袋の上部が使用中にずり落ちてこないようにすると共に、手袋内への通気を良化して蒸れを生じないようなものを経済的に得ようとするものである。
【課題を解決するための手段】
【０００９】
本考案は、プラスチックシートを２枚重ね、溶断処理によって手の５本の指先から肘関節の下方までを覆うことができる長手袋を形成し、この長手袋の手首の関節部から肘下方の挿入開口部に至る腕カバー部に、該腕カバー部の径を小さくするように上記２枚のプラスチックシートの一部を溶着して使い捨て長手袋とするものである。
【考案の効果】
【００１０】
本考案によれば、長手袋の腕カバー部において２枚の重ね合されたプラスチックシートの一部が溶着されて、その部分の径が小さくなっているので、この長手袋内に手を挿入したときに、ユニホームや作業着などを着ている腕部との間で密接的な状態を作り出すことができ、これによって腕カバー部がずり下がってくることがないし、通気路が形成されるようになって空気の流通も良くなり、袋内で蒸れが生じることも少なくなる。また、上記腕カバー部の溶着部は、長手袋を形成する際の溶断処理と同時に溶着処理することによって形成することもできるから、経済的に得ることができる。
【図面の簡単な説明】
【００１１】
【図１】本考案の実施例を示す正面図である。
【図２】図１に示すもののＡ−Ａ線拡大断面図である。
【図３】図１に示すものの使用状態を示す説明図である。
【図４】図１に示すものの変形例を示す説明図である。
【考案を実施するための形態】
【００１２】
プラスチックシートを用意し、これを２枚重ねた状態にして溶断処理を行い、使い捨て長手袋１を形成する。この長手袋１には、５本の指部２を有する手掌部３、手首部４、これに続き肘の下方までの腕部を覆う腕カバー部５が形成されている。
上記プラスチックシートとしては、適宜のものを使用することができるが、通常、ポリエチレンシートを使用するのが好ましい。
このプラスチックシートにはエンボス加工などによる細かな突起６を設けるとよく、この突起６が手袋の外面になるようにすると、この手袋を嵌めて物を掴むときに滑ることも少なく確実に掴むことができる。
【００１３】
この長手袋１の腕カバー部５の一部には、上記重ね合せたプラスチックシートを連結する溶着部７を設けている。
この溶着部７によって腕カバー部５の一部の幅が小さくなっているが、長手袋１を嵌めるときに手がこの幅の小さくなった溶着部７を通って手掌部３に嵌め入れることができるようになっている。
【００１４】
上記溶着部７は、上記した腕カバー部が使用中にずり落ちてこないようにこの腕カバー部５に設けるようにするが、通常、長手袋１の手首部４から肘下方の挿入開口部８までの腕カバー部５の中間部分に設けるようにするとよいことが多い。
また、この溶着部７は、長手袋のサイズが同じ場合であっても、腕の細い人用には幅が狭くなるような位置に形成し、腕の太い人用には幅が広くなる位置に形成するなど、腕の太さに合わせて何段階かに分けた適宜の位置に形成するようにするとよい。
【００１５】
この溶着部７は任意の方法で形成することができるが、上記の如く２枚のプラスチックシートを重ねて長手袋１を溶断処理によって形成するときに、同時に溶着するようにすれば容易に形成することができるので、経済的に形成することができる。
【００１６】
また、この溶着部７は上記したように円形の形成する他、図４に示すように楕円形に形成したり、小判型、円環状その他の余り角張った部分の無いような適宜の形状に形成することができるし、複数個を並べて形成するようにすることもできる。
【００１７】
上記使い捨て長手袋１の腕カバー部５の挿入開口部８から手を入れると、腕カバー部５の溶着部７の脇を通って、手首部４から手掌部２に差入れることができるようになり、手が手掌部３によって覆われると共に、腕カバー部５が腕部１１のユニホームや作業着などの上を覆うようになる。そして、この腕カバー部５には溶着部７が設けられていて、腕カバー部５が絞られるようになるから、この部分で腕カバー部５はユニホームや作業着などを着ている腕部１１に密接する状態になって、使用中でもずり下がって来ることがない。
【００１８】
また、上記溶着部７により腕カバー部５にはユニホームや作業着などの腕部が挿入されていない部分が形成されているので、この挿入開口部８に続くスペース９から自由に空気が出入りするようになり、プラスチックシート製の通気性に乏しい長手袋であっても作業中に手が蒸れることが少なく快適に使用することができる。
【符号の説明】
【００１９】
１    使い捨て長手袋
２    指部
３    手掌部
４    手首部
５    腕カバー部
７    溶着部
８    挿入開口部
９    スペース
１１  腕部
【図１】
0003192061.tif 000003
【図２】
0003192061.tif 000004
【図３】
0003192061.tif 000005
【図４】
0003192061.tif 000006